(57)【要約】【課題】プラズマディスプレイパネルにおいて、書込み放電を安定に発生させる。【解決手段】初期化期間に初期電圧から緩やかに上昇する第１の傾斜電圧を発生させ、維持期間の最後に第１の傾斜電圧よりも急峻な勾配で上昇する第２の傾斜電圧を発生させる傾斜電圧発生回路であるミラー積分回路５５および定電流発生回路６０を有する走査電極駆動回路４３を備え、ミラー積分回路５５は、定電流発生回路６０からミラー積分回路５５に入力される定電流に対して順方向に設けられ、第１の傾斜電圧に初期電圧を与えるツェナーダイオードＤ１０を有し、走査電極駆動回路４３は、定電流発生回路６０の出力電流値を切換えるＭＯＳＦＥＴからなるスイッチング素子Ｑ２１と、ツェナーダイオードＤ１０を電気的に短絡するＭＯＳＦＥＴからなるスイッチング素子Ｑ２２とを有する。【選択図】図５
2010019960.tif 000002
【特許請求の範囲】
【請求項１】
初期化期間と書込み期間と維持期間とを有するサブフィールドを１フィールド内に複数設けて階調表示するサブフィールド法で駆動し、複数の走査電極を有するプラズマディスプレイパネルと、
１フィールドの少なくとも１つのサブフィールドの前記初期化期間に初期電圧から上昇する第１の傾斜電圧を発生させ、前記維持期間の最後に前記第１の傾斜電圧よりも急峻な勾配で上昇する第２の傾斜電圧を発生させる傾斜電圧発生回路および前記傾斜電圧発生回路に入力する定電流を発生させる定電流発生回路を有する走査電極駆動回路とを備え、
前記傾斜電圧発生回路は、前記定電流発生回路から前記傾斜電圧発生回路に入力される前記定電流に対して順方向に設けられ、前記第１の傾斜電圧に前記初期電圧を与えるツェナーダイオードを有し、
前記走査電極駆動回路は、
前記定電流発生回路の出力電流値を切換えるＭＯＳＦＥＴからなる第１のスイッチング素子と、前記ツェナーダイオードを電気的に短絡するＭＯＳＦＥＴからなる第２のスイッチング素子とを有し、前記第１のスイッチング素子および前記第２のスイッチング素子の導通・遮断を切換えることで、前記第１の傾斜電圧と前記第２の傾斜電圧とを発生させることを特徴とするプラズマディスプレイ装置。
【請求項２】
複数の走査電極を有するプラズマディスプレイパネルを、初期化期間と書込み期間と維持期間とを有するサブフィールドを１フィールド内に複数設けて階調表示するサブフィールド法により駆動するとともに、
１フィールドの少なくとも１つのサブフィールドの前記初期化期間には初期電圧から上昇する第１の傾斜電圧を発生させ、前記維持期間の最後には前記第１の傾斜電圧よりも急峻な勾配で上昇する第２の傾斜電圧を発生させる傾斜電圧発生回路を用いて駆動するプラズマディスプレイパネルの駆動方法であって、
前記傾斜電圧発生回路に、入力される定電流に対して順方向に設けられ前記第１の傾斜電圧に前記初期電圧を与えるツェナーダイオードと、前記傾斜電圧発生回路に入力される前記定電流の電流値を切換えるＭＯＳＦＥＴからなる第１のスイッチング素子と、前記ツェナーダイオードを電気的に短絡するＭＯＳＦＥＴからなる第２のスイッチング素子とを設け、前記第１のスイッチング素子および前記第２のスイッチング素子の導通・遮断を切換えることで１つの前記傾斜電圧発生回路から、前記第１の傾斜電圧と前記第２の傾斜電圧との２つの異なる傾斜電圧を発生させることを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールドを複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に走査パルス電圧を印加するとともにデータ電極に選択的に書込みパルス電圧を印加して表示を行うべき放電セルに選択的に書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００７】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００８】
また、上述の特許文献１には、維持期間における最後の維持パルスのパルス幅を他の維持パルスのパルス幅よりも短くし、表示電極対間の壁電荷による電位差を緩和する、いわゆる細幅消去放電についても記載されている。この細幅消去放電によって、続くサブフィールドの書込み期間における書込み動作を安定させ、コントラスト比の高いプラズマディスプレイ装置を実現することができる。
【特許文献１】特開２０００−２４２２２４号公報
【発明の開示】
【発明が解決しようとする課題】
【０００９】
近年、パネルの高精細化にともない放電セルのさらなる微細化が進んでいる。この微細化された放電セルでは、壁電荷が失われる電荷抜けと呼ばれる現象が生じやすいことが確認されており、この電荷抜けが発生すると、放電不良が発生して画像表示品質を劣化させたり、あるいは、放電の発生に必要な印加電圧が上昇する等の問題が生じる。
【００１０】
電荷抜けが発生する主な原因の１つに書込み動作時の放電ばらつきがある。例えば、書込み動作時の放電ばらつきが大きく、書込み放電が強く発生してしまうと、発光させる放電セルと非発光の放電セルとが隣接したところで、発光させる放電セルが非発光の放電セルから壁電荷を奪ってしまうことがあり、電荷抜けが発生する。
【００１１】
したがって、書込み放電をできるだけ安定に発生させることが、電荷抜けを防止するためには重要である。
【００１２】
一方、近年ではパネルのさらなる大画面化、高精細化が進められており、それにともないパネルの駆動インピーダンスは増大する傾向にある。そして、駆動インピーダンスが増大すると、パネルの駆動回路から発生される駆動波形にリンギング等の波形歪みが生じやすくなる。上述の細幅消去放電は、続くサブフィールドの書込み動作を安定させることを目的としたものであるが、例えば、この細幅消去放電を発生させるための駆動波形に波形歪みが生じると、細幅消去放電そのものが強く発生してしまうおそれがあり、そのような場合には、続く書込み放電を安定に発生させることは難しいといった課題があった。
【００１３】
本発明はこのような課題に鑑みなされたものであり、大画面化、高精細化されたパネルにおいても、書込み放電を安定に発生させることができ、画像表示品質のよいプラズマディスプレイ装置およびパネルの駆動方法を提供することを目的とする。
【課題を解決するための手段】
【００１４】
本発明のプラズマディスプレイ装置は、初期化期間と書込み期間と維持期間とを有するサブフィールドを１フィールド内に複数設けて階調表示するサブフィールド法で駆動し、複数の走査電極を有するパネルと、１フィールドの少なくとも１つのサブフィールドの初期化期間に初期電圧から上昇する第１の傾斜電圧を発生させ、維持期間の最後に第１の傾斜電圧よりも急峻な勾配で上昇する第２の傾斜電圧を発生させる傾斜電圧発生回路および傾斜電圧発生回路に入力する定電流を発生させる定電流発生回路を有する走査電極駆動回路とを備え、傾斜電圧発生回路は、定電流発生回路から傾斜電圧発生回路に入力される定電流に対して順方向に設けられ第１の傾斜電圧に初期電圧を与えるツェナーダイオードを有し、走査電極駆動回路は、定電流発生回路の出力電流値を切換えるＭＯＳＦＥＴからなる第１のスイッチング素子と、ツェナーダイオードを電気的に短絡するＭＯＳＦＥＴからなる第２のスイッチング素子とを有し、第１のスイッチング素子および第２のスイッチング素子の導通・遮断を切換えることで、第１の傾斜電圧と第２の傾斜電圧とを発生させることを特徴とする。
【００１５】
これにより、大画面化、高精細化されたパネルにおいても、書込み放電を安定に発生させることができ、パネルの画像表示品質を向上させることができる。また、１つの傾斜電圧発生回路から、勾配および到達電位の異なる第１の傾斜電圧および第２の傾斜電圧を発生させることが可能となる。
【００１６】
また、本発明のパネルの駆動方法は、複数の走査電極を有するパネルを、初期化期間と書込み期間と維持期間とを有するサブフィールドを１フィールド内に複数設けて階調表示するサブフィールド法により駆動するとともに、１フィールドの少なくとも１つのサブフィールドの初期化期間には初期電圧から上昇する第１の傾斜電圧を発生させ、維持期間の最後には第１の傾斜電圧よりも急峻な勾配で上昇する第２の傾斜電圧を発生させる傾斜電圧発生回路を用いて駆動するパネルの駆動方法であって、傾斜電圧発生回路に、入力される定電流に対して順方向に設けられ第１の傾斜電圧に初期電圧を与えるツェナーダイオードと、傾斜電圧発生回路に入力される定電流の電流値を切換えるＭＯＳＦＥＴからなる第１のスイッチング素子と、ツェナーダイオードを電気的に短絡するＭＯＳＦＥＴからなる第２のスイッチング素子とを設け、第１のスイッチング素子および第２のスイッチング素子の導通・遮断を切換えることで１つの傾斜電圧発生回路から、第１の傾斜電圧と第２の傾斜電圧との２つの異なる傾斜電圧を発生させることを特徴とする。
【００１７】
これにより、大画面化、高精細化されたパネルにおいても、書込み放電を安定に発生させることができ、パネルの画像表示品質を向上させることができる。また、１つの傾斜電圧発生回路から、勾配および到達電位の異なる第１の傾斜電圧および第２の傾斜電圧を発生させることが可能となる。
【発明の効果】
【００１８】
本発明によれば、大画面化、高精細化されたパネルにおいても、書込み放電を安定に発生させることができ、画像表示品質のよいプラズマディスプレイ装置およびパネルの駆動方法を提供することが可能となる。
【発明を実施するための最良の形態】
【００１９】
以下、本発明の実施の形態におけるプラズマディスプレイ装置について、図面を用いて説明する。
【００２０】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２１】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２２】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２３】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２４】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２５】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２６】
次に、パネル１０を駆動するための駆動電圧波形とその動作の概要について説明する。なお、本実施の形態におけるプラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行うものとする。
【００２７】
このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００２８】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２９】
しかし、本実施の形態は、サブフィールド数や各サブフィールドの輝度重みが上記の値に限定されるものではなく、また、画像信号等にもとづいてサブフィールド構成を切換える構成であってもよい。
【００３０】
なお、本実施の形態では、維持期間の最後に傾斜電圧を発生させており、これにより、続くサブフィールドの書込み期間における書込み動作を安定させている。以下、まず駆動電圧波形の概要について説明し、続いて駆動回路の構成について説明する。
【００３１】
図３は、本発明の一実施の形態におけるパネル１０の各電極に印加する駆動電圧波形図である。図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３２】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００３３】
まず、全セル初期化サブフィールドである第１ＳＦについて説明する。
【００３４】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から電圧Ｖｓｃを印加した後、さらに電圧Ｖｓｃに積み上げ電圧を重畳した電圧Ｖｉ１を印加する。なお、この積み上げ電圧は後述するツェナーダイオードによって発生させる。このとき、電圧Ｖｉ１は、放電開始電圧以下の電圧にする。さらに電圧Ｖｉ１から、維持電極ＳＵ１〜維持電極ＳＵｎに対して放電開始電圧を超える電圧Ｖｉ２に向かって緩やかに（例えば、約１．３Ｖ／μｓｅｃの勾配で）上昇する第１の傾斜電圧（以下、「上りランプ電圧」と呼称する）Ｌ１を印加する。
【００３５】
なお、第１ＳＦでは、電圧Ｖｓｃに積み上げ電圧を重畳した電圧Ｖｉ１から上りランプ電圧Ｌ１を発生させることで、電圧Ｖｓｃから上りランプ電圧を発生させるときよりも初期化期間を短縮している。例えば、積み上げ電圧が４５（Ｖ）であり、上りランプ電圧Ｌ１の勾配が１．３Ｖ／μｓｅｃであれば、約３４．６μｓｅｃの時間短縮を図ることができる。このようにして初期化期間を短縮した分を維持期間に割り当てれば、維持パルスの発生数を増加させ、画像をより明るく表示することができる。
【００３６】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３７】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜電圧（以下、「下りランプ電圧」と呼称する）Ｌ２を印加する。
【００３８】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３９】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４０】
書込み期間では、まず維持電極ＳＵ１〜維持電極ＳＵｎに電圧Ｖｅ２を、走査電極ＳＣ１〜走査電極ＳＣｎに（電圧Ｖａ＋電圧Ｖｓｃ）を印加する。
【００４１】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４２】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４３】
続く維持期間では、輝度重みに所定の輝度倍率を乗じた数の維持パルスを表示電極対２４に交互に印加して、書込み放電を発生した放電セルで維持放電を発生させて発光させる。
【００４４】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４５】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４６】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与えることにより、書込み期間において書込み放電を起こした放電セルで維持放電が継続して行われる。
【００４７】
そして、維持期間の最後には、走査電極ＳＣ１〜走査電極ＳＣｎに、ベース電位となる０（Ｖ）から電圧Ｖｅｒｓに向かって緩やかに上昇する第２の傾斜電圧（以下、「消去ランプ電圧」と呼称する）Ｌ３を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。
【００４８】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する第２の傾斜電圧である消去ランプ電圧Ｌ３を、第１の傾斜電圧である上りランプ電圧Ｌ１よりも急峻な勾配、例えば約１０Ｖ／μｓｅｃの勾配で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで降下させる。
【００４９】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。以下、この消去ランプ電圧Ｌ３によって発生させる維持期間の最後の放電を「消去放電」と呼称する。
【００５０】
なお、本実施の形態では、電圧Ｖｅｒｓの電圧値を維持パルス電圧Ｖｓ（例えば、２００（Ｖ））とほぼ等しい電圧に設定しているが、本実施の形態においては電圧Ｖｅｒｓの電圧値を、維持パルス電圧Ｖｓ−１０（Ｖ）以上かつ維持パルス電圧Ｖｓ＋１０（Ｖ）以下の電圧範囲に設定することが望ましい。電圧Ｖｅｒｓの電圧値をこの上限値よりも大きくすると壁電圧の調整が過剰となり、また、下限値よりも小さくすると壁電圧の調整が不足して、それぞれ続く書込み動作を安定に行えないおそれがあるためである。
【００５１】
また、本実施の形態では、消去ランプ電圧Ｌ３の勾配を約１０Ｖ／μｓｅｃにする構成を説明したが、この勾配は、２Ｖ／μｓｅｃ以上２０Ｖ／μｓｅｃ以下に設定することが望ましい。勾配をこの上限値よりも急峻にすると壁電圧を調整するための放電が微弱な放電とならず、また、勾配をこの下限値よりも緩やかにすると放電そのものが微弱になりすぎてしまい、それぞれ壁電圧の調整がうまく行えないおそれがあるためである。
【００５２】
その後、走査電極ＳＣ１〜走査電極ＳＣｎを０（Ｖ）に戻し、維持期間における維持動作が終了する。
【００５３】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ電圧Ｌ４を印加する。
【００５４】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。このように第２ＳＦにおける初期化動作は、直前のサブフィールドの維持期間で維持動作を行った放電セルに対して初期化放電を行う選択初期化動作となる。
【００５５】
第２ＳＦの書込み期間では、走査電極ＳＣ１〜走査電極ＳＣｎ、維持電極ＳＵ１〜維持電極ＳＵｎおよびデータ電極Ｄ１〜データ電極Ｄｍに対して第１ＳＦの書込み期間と同様の駆動波形を印加する。
【００５６】
第２ＳＦの維持期間では、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。これにより、書込み期間において書込み放電を発生させた放電セルで維持放電を発生させる。そして、維持期間の最後には、第１ＳＦの維持期間と同様に、走査電極ＳＣ１〜走査電極ＳＣｎに消去ランプ電圧Ｌ３を印加し、維持放電を発生させた放電セルに消去放電を発生させる。
【００５７】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００５８】
以上が、パネル１０の各電極に印加する駆動電圧波形の概要である。
【００５９】
次に、本実施の形態におけるプラズマディスプレイ装置の構成について説明する。図４は、本発明の一実施の形態におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５および各回路ブロックに必要な電源を供給する電源回路（図示せず）を備えている。
【００６０】
画像信号処理回路４１は、パネル１０の画素数に応じて、入力された画像信号ｓｉｇをサブフィールド毎の発光・非発光を示すサブフィールドデータに変換する。
【００６１】
制御信号発生回路４５は、水平同期信号Ｈおよび垂直同期信号Ｖにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００６２】
データ電極駆動回路４２は、サブフィールド毎のサブフィールドデータを各データ電極Ｄ１〜データ電極Ｄｍに対応する信号に変換し、制御信号発生回路４５から供給される制御信号にもとづいて各データ電極Ｄ１〜データ電極Ｄｍを駆動する。
【００６３】
走査電極駆動回路４３は、初期化期間において走査電極ＳＣ１〜走査電極ＳＣｎに印加する初期化波形を発生するための初期化波形発生回路、維持期間において走査電極ＳＣ１〜走査電極ＳＣｎに印加する維持パルスを発生するための維持パルス発生回路、複数の走査電極駆動ＩＣ（以下、「走査ＩＣ」と略記する）を備え書込み期間において走査電極ＳＣ１〜走査電極ＳＣｎに印加する走査パルスを発生するための走査パルス発生回路を有する。そして、制御信号発生回路４５から供給される制御信号にもとづいて各走査電極ＳＣ１〜走査電極ＳＣｎをそれぞれ駆動する。
【００６４】
維持電極駆動回路４４は、維持パルス発生回路および電圧Ｖｅ１、電圧Ｖｅ２を発生するための回路（図示せず）を備え、制御信号発生回路４５から供給される制御信号にもとづいて維持電極ＳＵ１〜維持電極ＳＵｎを駆動する。
【００６５】
次に、走査電極駆動回路４３の詳細とその動作について説明する。
【００６６】
図５は、本発明の一実施の形態におけるプラズマディスプレイ装置１の走査電極駆動回路４３の一構成例を示す回路図である。走査電極駆動回路４３は、維持パルスを発生させる維持パルス発生回路５０、初期化波形を発生させる初期化波形発生回路５３、走査パルスを発生させる走査パルス発生回路５４を備え、走査パルス発生回路５４のそれぞれの出力はパネル１０の走査電極ＳＣ１〜走査電極ＳＣｎのそれぞれに接続されている。なお、本実施の形態では、走査パルス発生回路５４に入力される電圧を「基準電位Ａ」と記す。また、以下の説明においてスイッチング素子を導通させる動作を「オン」、遮断させる動作を「オフ」と表記し、スイッチング素子をオンさせる信号を「Ｈｉ」、オフさせる信号を「Ｌｏ」と表記する。
【００６７】
維持パルス発生回路５０は、一般に用いられている電力回収回路（図示せず）とクランプ回路（図示せず）とを備え、制御信号発生回路４５から出力される制御信号にもとづき内部に備えた各スイッチング素子を切換えて維持パルスを発生させる。
【００６８】
走査パルス発生回路５４は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【００６９】
また、走査パルス発生回路５４は、書込み期間において基準電位Ａを負の電圧Ｖａに接続するためのスイッチング素子Ｑ５と、基準電位Ａに電圧Ｖｓｃを重畳した電圧Ｖｃを発生させるための電源Ｖｓｃ、ダイオードＤ３１、コンデンサＣ３１とを備えている。そして、スイッチング素子ＱＨ１〜スイッチング素子ＱＨｎの入力端子ＩＮ２には電圧Ｖｃが接続され、スイッチング素子ＱＬ１〜スイッチング素子ＱＬｎの入力端子ＩＮ１には基準電位Ａが接続されている。
【００７０】
このように構成された走査パルス発生回路５４では、書込み期間においては、スイッチング素子Ｑ５をオンにして基準電位Ａを負の電圧Ｖａに等しくし、入力端子ＩＮ１には負の電圧Ｖａを、入力端子ＩＮ２には電圧Ｖａ＋電圧Ｖｓｃとなった電圧Ｖｃを印加する。そして、サブフィールドデータにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負の走査パルス電圧Ｖａを印加し、走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃを印加する。
【００７１】
なお、初期化波形発生回路５３または維持パルス発生回路５０を動作させている期間は、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形電圧または維持パルス電圧を印加する。
【００７２】
初期化波形発生回路５３は、ミラー積分回路５５、ミラー積分回路５６、定電流発生回路６０、定電流発生回路６１、および電源電圧切換え回路５７を有する。なお、ミラー積分回路５５およびミラー積分回路５６は傾斜電圧発生回路である。
【００７３】
ミラー積分回路５５は、スイッチング素子Ｑ１１と、コンデンサＣ１０と、コンデンサＣ１０に直列に接続されたツェナーダイオードＤ１０と、抵抗Ｒ１０とを有し、電圧Ｖｉ２までランプ状に緩やかに（例えば、１．３Ｖ／μｓｅｃで）上昇する初期化動作時の上りランプ電圧Ｌ１と、上りランプ電圧Ｌ１よりも急峻な勾配（例えば、１０Ｖ／μｓｅｃ）で電圧Ｖｅｒｓまで上昇する消去ランプ電圧Ｌ３とを発生する。なお、ツェナーダイオードＤ１０は、定電流発生回路６０からミラー積分回路５５に入力される定電流に対して順方向に設けられ、全セル初期化動作時（ここでは、第１ＳＦの初期化期間）に、電圧Ｖｓｃに積み上げ電圧であるツェナー電圧（例えば、４５（Ｖ））を重畳して電圧Ｖｉ１を発生させる働き、すなわち第１の傾斜電圧である上りランプ電圧Ｌ１の開始電圧（傾斜電圧の上昇が開始される電圧）を電圧Ｖｉ１にする働きを有する。
【００７４】
定電流発生回路６０は、入力端子ＩＮａにコレクタが接続されたトランジスタＱ８と、入力端子ＩＮａとトランジスタＱ８のベースとの間に挿入された抵抗Ｒ８と、抵抗Ｒ８にカソードが接続され抵抗Ｒ１０にアノードが接続されたツェナーダイオードＤ８と、トランジスタＱ８のエミッタと抵抗Ｒ１０との間に直列に接続された抵抗Ｒ１２とを有し、入力端子ＩＮａに所定の電圧（例えば、５（Ｖ））を印加することで、定電流を発生する。この定電流はミラー積分回路５５に入力され、ミラー積分回路５５は、この定電流が入力される期間、基準電位Ａの電位を上昇させる。
【００７５】
ミラー積分回路５６は、スイッチング素子Ｑ１４と、コンデンサＣ１２とを有し、電圧Ｖｉ４までランプ状に緩やかに下降する下りランプ電圧Ｌ２および下りランプ電圧Ｌ４を発生する。
【００７６】
定電流発生回路６１は、入力端子ＩＮｂにコレクタが接続されたトランジスタＱ９と、入力端子ＩＮｂとトランジスタＱ９のベースとの間に挿入された抵抗Ｒ９と、抵抗Ｒ９にカソードが接続されスイッチング素子Ｑ１４のゲートにアノードが接続されたツェナーダイオードＤ９と、トランジスタＱ９のエミッタに直列に接続された抵抗Ｒ１１とを有し、入力端子ＩＮｂに所定の電圧（例えば、５（Ｖ））を印加することで、定電流を発生する。この定電流はミラー積分回路５６に入力され、ミラー積分回路５６は、この定電流が入力される期間、基準電位Ａの電位を下降させる。
【００７７】
電源電圧切換え回路５７は、電圧Ｖｓｅｔ（例えば、３００（Ｖ））と電圧Ｖｅｒｓ（例えば、２００（Ｖ））とを分離するためのスイッチング素子Ｑ１５と、電圧Ｖｅｒｓを発生する電源への逆流を防止するダイオードＤ１２と、スイッチング素子Ｑ１５のゲートに与える電圧を調整するための抵抗Ｒ１４、抵抗Ｒ１５、ツェナーダイオードＤ１１と、フォトカプラＰＣ３とを有する。フォトカプラＰＣ３の発光側は電流制限用の抵抗Ｒ１８を介して入力端子ＩＮｃとなっており、フォトカプラＰＣ３のトランジスタ側は、コレクタが電圧Ｖｓｅｔに、エミッタがスイッチング素子Ｑ１５のゲートにそれぞれ接続されている。そして、入力端子ＩＮｃに所定の電圧（例えば、５（Ｖ））を印加すると、フォトカプラＰＣ３のトランジスタがオンし、これによりスイッチング素子Ｑ１５のゲート電圧が電圧Ｖｓｅｔに等しくなってスイッチング素子Ｑ１５がオフになり、ミラー積分回路５５に電圧Ｖｅｒｓを与えることができる。また、入力端子ＩＮｃに、例えば、０（Ｖ）を印加すると、フォトカプラＰＣ３のトランジスタがオフし、これによりスイッチング素子Ｑ１５のゲートに電圧Ｖｓｅｔと電圧Ｖｅｒｓとを抵抗Ｒ１４と抵抗Ｒ１５とで抵抗分割した電圧が印加されてスイッチング素子Ｑ１５がオンし、ミラー積分回路５５に電圧Ｖｓｅｔを与えることができる。このように、電源電圧切換え回路５７は、上りランプ電圧Ｌ１を発生させるときに用いる電圧Ｖｓｅｔと消去ランプ電圧Ｌ３を発生させるときに用いる電圧Ｖｅｒｓとのいずれかの電圧を、選択的にミラー積分回路５５に与えることができる。
【００７８】
ここで、本実施の形態における初期化波形発生回路５３は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）からなる、第１のスイッチング素子であるスイッチング素子Ｑ２１と、第２のスイッチング素子であるスイッチング素子Ｑ２２とを備えた構成とする。なお、スイッチング素子Ｑ２１のゲートとスイッチング素子Ｑ２２のゲートとは互いに接続されて入力端子ＩＮｄとなっており、入力端子ＩＮｄに印加する制御信号を「Ｈｉ」（例えば、５（Ｖ））にすることでスイッチング素子Ｑ２１とスイッチング素子Ｑ２２とを同時にオンすることができ、また入力端子ＩＮｄに印加する制御信号を「Ｌｏ」（例えば、０（Ｖ））にすることでスイッチング素子Ｑ２１とスイッチング素子Ｑ２２とを同時にオフすることができる。しかし、本発明は何らこの構成に限定されるものではなく、スイッチング素子Ｑ２１とスイッチング素子Ｑ２２とを互いに独立してオン・オフできる構成であってもよい。
【００７９】
さらに、定電流発生回路６０に、スイッチング素子Ｑ２１のスイッチング操作により定電流発生回路６０から出力する定電流の電流値を変更する抵抗Ｒ１３を備えた構成とする。具体的には、抵抗Ｒ１３の一方の端子を抵抗Ｒ１２とトランジスタＱ８との接続点に接続し、他方の端子をスイッチング素子Ｑ２１のドレインに接続する。そして、スイッチング素子Ｑ２１のソースを抵抗Ｒ１２と抵抗Ｒ１０との接続点に接続する。これにより、スイッチング素子Ｑ２１をオンすることで、抵抗Ｒ１２と抵抗Ｒ１３とが電気的に並列に接続され、スイッチング素子Ｑ２１がオフのときよりも定電流発生回路６０から出力される定電流の電流値を大きくし、ミラー積分回路５５から出力される傾斜電圧の勾配を大きくすることができる。
【００８０】
さらに、スイッチング素子Ｑ２２のスイッチング操作により傾斜電圧の開始電圧に積み上げ電圧を重畳するかどうかを切換えられる構成とする。具体的には、ミラー積分回路５５に備えられたツェナーダイオードＤ１０のカソードとスイッチング素子Ｑ２２のドレインとを接続し、ツェナーダイオードＤ１０のアノードとスイッチング素子Ｑ２２のソースとを接続する。これにより、スイッチング素子Ｑ２２がオフのときにはスイッチング素子Ｑ１１のソース電圧にツェナーダイオードＤ１０のツェナー電圧（例えば、４５（Ｖ））を積み上げ、例えば上りランプ電圧Ｌ１の開始電圧を電圧Ｖｉ１にすることができる。また、スイッチング素子Ｑ２２がオンのときにはツェナーダイオードＤ１０を電気的に短絡して、ミラー積分回路５５から出力される傾斜電圧の開始電圧を、ツェナーダイオードＤ１０のツェナー電圧の積み上げがない電圧にすることができる。例えば、消去ランプ電圧Ｌ３の開始電圧を０（Ｖ）にすることができる。
【００８１】
これにより、本実施の形態におけるミラー積分回路５５は、勾配および初期電圧が異なる２つの傾斜電圧、すなわち初期化動作時の上りランプ電圧Ｌ１と、維持期間の最後に発生させる消去ランプ電圧Ｌ３とを発生させることができる。
【００８２】
なお、ツェナーダイオードＤ１０をミラー積分回路５５に入力される定電流に対して逆方向に設けても（図５に示すツェナーダイオードＤ１０とは逆方向にしても）、例えば上りランプ電圧Ｌ１を発生させる際の開始電圧を、電圧ＶｓｃにツェナーダイオードＤ１０のツェナー電圧Ｖｚを重畳した電圧Ｖｉ１にすることができることが確認された。しかし、そのような向きでツェナーダイオードＤ１０を設けると、ツェナーダイオードＤ１０のアノードとスイッチング素子Ｑ２２の寄生ダイオードのカソードとが接続され、ツェナーダイオードＤ１０のカソードとスイッチング素子Ｑ２２の寄生ダイオードのアノードとが接続されて、電気的な閉ループが形成されてしまい、また、ツェナーダイオードＤ１０のカソードとスイッチング素子Ｑ２１の寄生ダイオードのアノードとが接続されて、ツェナーダイオードＤ１０からスイッチング素子Ｑ２１の寄生ダイオードへと電流が流れる経路が形成されてしまうため、初期化波形発生回路５３自体が正常に動作しなくなる。すなわち、ミラー積分回路５５に入力される定電流に対して逆方向にツェナーダイオードＤ１０を設ける構成では、スイッチング素子Ｑ２１、スイッチング素子Ｑ２２にＭＯＳＦＥＴを用いることができず、例えばフォトカプラ等の寄生ダイオードが形成されないスイッチング素子を用いてスイッチング素子Ｑ２１、スイッチング素子Ｑ２２を構成しなければならなくなる。
【００８３】
しかし、本実施の形態では、図５に示すように、ツェナーダイオードＤ１０をミラー積分回路５５に入力される定電流に対して順方向に設ける構成としているので、ツェナーダイオードＤ１０のカソードとスイッチング素子Ｑ２２の寄生ダイオードのカソードとが接続され、ツェナーダイオードＤ１０のアノードとスイッチング素子Ｑ２１の寄生ダイオードのアノードとが接続されて、上述した経路が形成されることはない。したがって、第１のスイッチング素子であるスイッチング素子Ｑ２１と、第２のスイッチング素子であるスイッチング素子Ｑ２２とを、比較的安価なＭＯＳＦＥＴを用いて構成することができる。
【００８４】
次に、第１の傾斜電圧である上りランプ電圧Ｌ１を発生させる動作、および上りランプ電圧Ｌ１よりも急峻な勾配で電圧Ｖｅｒｓまで上昇する第２の傾斜電圧である消去ランプ電圧Ｌ３を発生させる動作を図６を用いて説明する。
【００８５】
図６は、本発明の一実施の形態における全セル初期化期間の走査電極駆動回路４３の動作の一例を説明するためのタイミングチャートである。なお、この図面では全セル初期化動作時の駆動波形を例にして説明するが、選択初期化動作において下りランプ電圧Ｌ４を発生させる動作は、図６に説明する下りランプ電圧Ｌ２を発生させる動作と同様であるものとする。
【００８６】
また、図６では、維持期間の最後の駆動波形を期間Ｔ１〜期間Ｔ２で示した２つの期間に分割し、全セル初期化動作を行う駆動波形を期間Ｔ１１〜期間Ｔ１４で示した４つの期間に分割して、それぞれの期間について説明する。また、以下、電圧Ｖｉ３は電圧Ｖｓに等しいものとし、電圧Ｖｉ２は電圧Ｖｓｃ＋電圧Ｖｓｅｔに等しいものとし、電圧Ｖｉ４は負の電圧Ｖａに等しいものとして説明する。また、図面にはスイッチング素子をオンさせる信号を「Ｈｉ」、オフさせる信号を「Ｌｏ」と表記する。
【００８７】
まず、維持期間の最後に消去ランプ電圧Ｌ３を発生させる際の動作について説明する。
【００８８】
まず、期間Ｔ１に入る前に入力端子ＩＮｃを「Ｈｉ」にしてフォトカプラＰＣ３をオンにし、ミラー積分回路５５に電圧Ｖｅｒｓを与え、かつ入力端子ＩＮｄを「Ｈｉ」にして、スイッチング素子Ｑ２１、スイッチング素子Ｑ２２をオンにし、ツェナーダイオードＤ１０を電気的に短絡し、コンデンサＣ１０に電圧Ｖｅｒｓを充電させておく。また、維持パルス発生回路５０のクランプ回路を動作させて基準電位Ａを０（Ｖ）にしておき、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。
【００８９】
（期間Ｔ１）
期間Ｔ１では、入力端子ＩＮａを「Ｈｉ」にして、定電流発生回路６０の動作を開始させる。これにより、コンデンサＣ１０に向かって一定の電流が流れ、スイッチング素子Ｑ１１のソース電圧がランプ状に上昇し、走査電極駆動回路４３の出力電圧は、ランプ状に上昇し始める。このとき、定電流発生回路６０の出力電流がスイッチング素子Ｑ１１のドレイン電流よりも小さくなるように、かつ傾斜電圧の勾配が所望の値（例えば、１０Ｖ／μｓｅｃ）になるように、抵抗Ｒ１２と抵抗Ｒ１３の合成抵抗の抵抗値をあらかじめ設定しておく。
【００９０】
ここで、スイッチング素子Ｑ１１のドレイン電圧をＶｄ１１、スイッチング素子Ｑ１１のソース電圧をＶｓ１１、コンデンサＣ１０の両端子間の電位差をＶｃ１０（ｔ）、ツェナーダイオードＤ１０の順方向動作時の電圧降下をＶｆ１０、スイッチング素子Ｑ１１のゲート、ソース間の電圧をＶｇｓ１１とすると、スイッチング素子Ｑ１１のソース電圧Ｖｓ１１は次の式１のようになる。
【００９１】
Ｖｓ１１＝Ｖｄ１１−Ｖｃ１０（ｔ）−Ｖｆ１０−Ｖｇｓ１１    式１
なお、コンデンサＣ１０の一方の端子電圧は電圧Ｖｅｒｓであり、他方の端子電圧は定電流発生回路６０からの出力電流がコンデンサＣ１０に充電されることで徐々に上昇するため、Ｖｃ１０（ｔ）は時間ｔをパラメータとする変数になる。また、定電流発生回路６０からの出力電流は定電流なので、Ｖｃ１０（ｔ）は時間ｔの経過とともに線形に減少する。
【００９２】
期間Ｔ１では、Ｖｄ１１は電圧Ｖｅｒｓに等しい。また、ツェナーダイオードＤ１０の順方向動作時の電圧降下Ｖｆ１０、およびスイッチング素子Ｑ１１のゲート、ソース間の電圧Ｖｇｓ１１は十分に小さい値のため、実質的に省略することができる。したがって、式１に示したスイッチング素子Ｑ１１のソース電圧Ｖｓ１１は、次の式２のように書き換えることができる。
【００９３】
Ｖｓ１１＝Ｖｅｒｓ−Ｖｃ１０（ｔ）    式２
定電流発生回路６０の動作開始直後（ｔ＝０）は、コンデンサＣ１０には充電がなされていないので、コンデンサＣ１０の両端子間の電位差は電圧Ｖｅｒｓになる。すなわち、Ｖｃ１０（０）＝Ｖｅｒｓである。したがって、
Ｖｓ１１＝Ｖｅｒｓ−Ｖｃ１０（０）＝Ｖｅｒｓ−Ｖｅｒｓ＝０（Ｖ）
となり、スイッチング素子Ｑ１１のソース電圧Ｖｓ１１は、０（Ｖ）となる。
【００９４】
その後、定電流発生回路６０から出力される定電流とコンデンサＣ１０の容量とで決まる勾配で、スイッチング素子Ｑ１１のソース電圧がランプ状に上昇する。このとき、期間Ｔ１では、入力端子ＩＮｄが「Ｈｉ」なので、抵抗Ｒ１２と抵抗Ｒ１３とが電気的に並列に接続される。これにより、定電流発生回路６０から出力される定電流の電流値は大きくなり、走査電極駆動回路４３の出力電圧は、上りランプ電圧Ｌ１よりも急峻な勾配（例えば、１０Ｖ／μｓｅｃ）でランプ状に上昇し始める。こうして、０（Ｖ）から電圧Ｖｅｒｓ（本実施の形態では、電圧Ｖｓに等しい）に向かって上昇する第２の傾斜電圧である消去ランプ電圧Ｌ３を発生させる。
【００９５】
この消去ランプ電圧Ｌ３が上昇する間に走査電極ＳＣｉと維持電極ＳＵｉとの間の電圧差は放電開始電圧を超え、これにより、走査電極ＳＣｉと維持電極ＳＵｉとの間に微弱な放電を発生させることができる。そして、この微弱な放電を消去ランプ電圧Ｌ３が上昇する期間、継続させることができる。
【００９６】
なお、本実施の形態では、維持パルスのような急激な電圧変化による瞬間的な強い放電ではなく、印加電圧を徐々に（例えば、１０Ｖ／μｓｅｃの勾配で）上昇させる消去ランプ電圧Ｌ３により走査電極ＳＣｉと維持電極ＳＵｉとの間に微弱な消去放電を継続して発生させる構成としている。したがって、たとえ大画面化、高精細化され、駆動インピーダンスが増大したパネルであっても、駆動回路から発生される駆動波形に生じるリンギング等の波形歪みを低減し、消去放電を安定に発生させることができる。これにより、走査電極ＳＣｉ上および維持電極ＳＵｉ上の壁電圧を、続く書込みを安定に発生させるに最適な状態に調整することができる。
【００９７】
なお、図面には示していないが、このときデータ電極Ｄ１〜データ電極Ｄｍは０（Ｖ）に保持されているので、データ電極Ｄ１〜データ電極Ｄｍ上には正の壁電圧が形成される。
【００９８】
（期間Ｔ２）
期間Ｔ２では、入力端子ＩＮａを「Ｌｏ」にする。これにより定電流発生回路６０は動作を停止する。また、入力端子ＩＮｃを「Ｌｏ」にしてフォトカプラＰＣ３をオフにし、ミラー積分回路５５に電圧Ｖｓｅｔを与える。合わせて、入力端子ＩＮｄを「Ｌｏ」にしてスイッチング素子Ｑ２１、スイッチング素子Ｑ２２をオフにし、抵抗Ｒ１３を電気的に開放された状態にし、またツェナーダイオードＤ１０を電気的に動作する状態にする。続いて、維持パルス発生回路５０のクランプ回路を動作させて基準電位Ａを０（Ｖ）にする。これにより、コンデンサＣ１０に電圧ＶｓｅｔからツェナーダイオードＤ１０のツェナー電圧Ｖｚを引いた電圧（電圧Ｖｓｅｔ−電圧Ｖｚ）が充電される。こうして、続く全セル初期化動作に備える。
【００９９】
次に、全セル初期化期間に初期化波形電圧を発生させる際の動作について説明する。
【０１００】
（期間Ｔ１１）
期間Ｔ１１では、スイッチング素子ＱＨ１〜スイッチング素子ＱＨｎをオン、スイッチング素子ＱＬ１〜スイッチング素子ＱＬｎをオフにすることにより、基準電位Ａ（このとき、０（Ｖ））に電圧Ｖｓｃを重畳した電圧Ｖｃ（すなわち、電圧Ｖｃ＝電圧Ｖｓｃ）を、走査電極ＳＣ１〜走査電極ＳＣｎに印加する。
【０１０１】
（期間Ｔ１２）
次に、入力端子ＩＮｃ、入力端子ＩＮｄをそれぞれ「Ｌｏ」に維持したまま、入力端子ＩＮａを「Ｈｉ」にする。入力端子ＩＮａを「Ｈｉ」にすることで定電流発生回路６０が動作を開始し、コンデンサＣ１０に向かって一定の電流が流れ、スイッチング素子Ｑ１１のソース電圧がランプ状に上昇し、走査電極駆動回路４３の出力電圧は、ランプ状に上昇し始める。このとき、定電流発生回路６０の出力電流がスイッチング素子Ｑ１１のドレイン電流よりも小さくなるように、かつ傾斜電圧の勾配が所望の値（例えば、１．３Ｖ／μｓｅｃ）になるように、抵抗Ｒ１２の抵抗値を設定しておく。
【０１０２】
期間Ｔ１２では、スイッチング素子Ｑ１１のドレイン電圧Ｖｄ１１は電圧Ｖｓｅｔに等しい。また、コンデンサＣ１０には電圧ＶｓｅｔからツェナーダイオードＤ１０のツェナー電圧Ｖｚを引いた電圧が充電されているので、定電流発生回路６０の動作開始直後（ｔ＝０）のコンデンサＣ１０の両端子間の電位差は、Ｖｓｅｔ−Ｖｚである。したがって、このときのスイッチング素子Ｑ１１のソース電圧Ｖｓ１１は、上述した式１にもとづき次の式３のようになる。
【０１０３】
Ｖｓ１１＝Ｖｓｅｔ−Ｖｃ１０（０）＝Ｖｓｅｔ−（Ｖｓｅｔ−Ｖｚ）＝Ｖｚ    式３
なお、ツェナーダイオードＤ１０の順方向動作時の電圧降下Ｖｆ１０とスイッチング素子Ｑ１１のゲート、ソース間の電圧Ｖｇｓ１１は実質的に無視できる大きさであるため、式２と同様に省略している。
【０１０４】
したがって、式３に示す通り、定電流発生回路６０の動作開始直後のスイッチング素子Ｑ１１のソース電圧Ｖｓ１１は、定電流発生回路６０の動作開始直前の基準電位Ａ（０（Ｖ））に、ツェナーダイオードＤ１０のツェナー電圧Ｖｚを加算した電圧Ｖｚになる。すなわち、定電流発生回路６０の動作開始直後に、走査電極駆動回路４３の出力電圧は、電圧Ｖｓｃから電圧Ｖｓｃに積み上げ電圧であるツェナーダイオードＤ１０のツェナー電圧Ｖｚを重畳した電圧Ｖｉ１まで急峻に増加する。これにより、電圧Ｖｉ１、すなわち電圧Ｖｓｃ＋電圧Ｖｚが、上りランプ電圧Ｌ１の開始電圧になる。その後、抵抗Ｒ１２からコンデンサＣ１０に向かって一定の電流が流れ、スイッチング素子Ｑ１１のソース電圧は電圧Ｖｉ１からランプ状に上昇する。このとき、期間Ｔ１２では、入力端子ＩＮｄが「Ｌｏ」なので、抵抗Ｒ１３は電気的に開放され、定電流発生回路６０から出力される定電流の電流値は小さくなって、走査電極駆動回路４３の出力電圧は、消去ランプ電圧Ｌ３よりも緩やかな勾配（例えば、１．３Ｖ／μｓｅｃ）でランプ状に上昇し始める。
【０１０５】
また、フォトカプラＰＣ３がオフになっているので、ミラー積分回路５５には電圧Ｖｓｅｔが印加され、走査電極駆動回路４３の出力電圧を電圧Ｖｉ２（ここでは、電圧Ｖｓｃ＋電圧Ｖｓｅｔ）まで上昇させることができる。そして、走査電極駆動回路４３の出力電圧が電圧Ｖｉ２に到達したら、その後、入力端子ＩＮａを「Ｌｏ」にする。
【０１０６】
期間Ｔ１２では、このようにして、電圧Ｖｉ１から放電開始電圧を超える電圧Ｖｉ２（本実施の形態では、電圧Ｖｓｃ＋電圧Ｖｓｅｔに等しい）に向かって緩やかに上昇する第１の傾斜電圧である上りランプ電圧Ｌ１を発生させ、走査電極ＳＣ１〜走査電極ＳＣｎに印加する。なお、この電圧上昇は、入力端子ＩＮａを「Ｈｉ」にしている期間、もしくは、基準電位Ａが電圧Ｖｓｅｔに到達するまで継続させることができる。
【０１０７】
（期間Ｔ１３）
期間Ｔ１３では入力端子ＩＮａを「Ｌｏ」にする。これにより定電流発生回路６０は動作を停止する。また、スイッチング素子ＱＨ１〜スイッチング素子ＱＨｎをオフ、スイッチング素子ＱＬ１〜スイッチング素子ＱＬｎをオンにして、基準電位Ａを走査電極ＳＣ１〜走査電極ＳＣｎに印加する。合わせて、維持パルス発生回路５０のクランプ回路を動作させて基準電位Ａを電圧Ｖｓにする。これにより、走査電極ＳＣ１〜走査電極ＳＣｎの電圧は電圧Ｖｉ３（本実施の形態では、電圧Ｖｓに等しい）まで低下する。
【０１０８】
（期間Ｔ１４）
次に、下りランプ電圧Ｌ２を発生するミラー積分回路５６の入力端子ＩＮｂを「Ｈｉ」にする。すると、定電流発生回路６１の抵抗Ｒ１１からコンデンサＣ１２に向かって一定の電流が流れ、スイッチング素子Ｑ１４のドレイン電圧が負の電圧Ｖｉ４（本実施の形態では、電圧Ｖａに等しい）に向かってランプ状に下降し、走査電極駆動回路４３の出力電圧も負の電圧Ｖａに向かってランプ状に下降し始める。そして、初期化期間が終了する直前に、入力端子ＩＮｂを「Ｌｏ」にする。期間Ｔ１４では、このようにして、下りランプ電圧Ｌ２を発生させ、走査電極ＳＣ１〜走査電極ＳＣｎに印加する。
【０１０９】
以上のようにして、走査電極駆動回路４３は、第１の傾斜電圧である上りランプ電圧Ｌ１と、第２の傾斜電圧である消去ランプ電圧Ｌ３と、下りランプ電圧Ｌ２とを発生させる。
【０１１０】
なお、期間Ｔ１４では、入力端子ＩＮｃを「Ｈｉ」にしてフォトカプラＰＣ３をオンにし、ミラー積分回路５５に電圧Ｖｅｒｓを与える。また、合わせて、入力端子ＩＮｄを「Ｈｉ」にしてスイッチング素子Ｑ２１、スイッチング素子Ｑ２２をオンにし、ツェナーダイオードＤ１０を電気的に短絡してミラー積分回路５５から出力される傾斜電圧の開始電圧が０（Ｖ）になるようにするとともに、定電流発生回路６０の抵抗Ｒ１２と抵抗Ｒ１３とを電気的に並列に接続して、定電流発生回路６０から電流値を大きくした定電流が出力されるようにする。こうして、続く動作に備える。
【０１１１】
なお、下りランプ電圧Ｌ２は、図６に示すように電圧Ｖａまで降下させる構成であってもよいが、例えば、下りランプ電圧Ｌ２が電圧Ｖａに所定の正の電圧Ｖｓｅｔ２を重畳した電圧に到達した時点で降下を停止させる構成としてもよい。
【０１１２】
以上説明したように、本実施の形態によれば、維持期間の最後において、すなわち、維持パルスを表示電極対に印加し終わった後に、上りランプ電圧Ｌ１よりも勾配を急峻にした消去ランプ電圧Ｌ３を走査電極ＳＣ１〜走査電極ＳＣｎに印加して微弱な消去放電を持続して発生させる構成とすることで、大画面化、高精細化されたパネルにおいても、書込み放電を発生させるために必要な電圧を高くすることなく安定に書込み放電を発生させることができ、画像表示品質を向上させることが可能となる。また、スイッチング素子Ｑ２１、スイッチング素子Ｑ２２、フォトカプラＰＣ３のオンとオフとの切換えにより、ミラー積分回路５５に入力する定電流の電流量、ツェナーダイオードＤ１０の有無、ミラー積分回路５５に与える電源電圧を切換えられるように構成することで、１つのミラー積分回路５５を用いて、勾配、初期電圧および到達電位の異なる２つの傾斜電圧、すなわち、第１の傾斜電圧である上りランプ電圧Ｌ１と第２の傾斜電圧である消去ランプ電圧Ｌ３とを発生させることが可能となる。また、ツェナーダイオードＤ１０をミラー積分回路５５に入力される定電流に対して順方向になるように設ける構成とすることで、第１のスイッチング素子であるスイッチング素子Ｑ２１と、第２のスイッチング素子であるスイッチング素子Ｑ２２とを、比較的安価なＭＯＳＦＥＴを用いて構成することが可能となる。
【０１１３】
なお、傾斜電圧の波形歪みを低減させるために、ミラー積分回路にエミッタフォロワを追加する構成としてもかまわない。図７は、本発明の一実施の形態における初期化波形発生回路の他の構成例を示す回路図である。例えば、図５に示したミラー積分回路５５に、図７に示すようにトランジスタＱ２０および抵抗Ｒ２０を有するエミッタフォロワを追加してミラー積分回路５８とする構成としてもよい。このような回路構成とすることで、傾斜電圧を発生させる際の波形歪み、特に、スイッチング素子Ｑ１１のドレイン−ソース間電圧の低下にともなうゲート入力容量の増加により、電圧上昇が終了して一定電圧に切換わるところに発生する波形のなまりを低減することが可能となる。
【０１１４】
なお、本実施の形態では、消去ランプ電圧Ｌ３を走査電極ＳＣ１〜走査電極ＳＣｎに印加する構成を説明したが、最後の維持パルスを印加する電極が走査電極ＳＣ１〜走査電極ＳＣｎの場合には、消去ランプ電圧Ｌ３を維持電極ＳＵ１〜維持電極ＳＵｎに印加する構成とすることもできる。しかし、本実施の形態においては、最後の維持パルスを印加する電極を維持電極ＳＵ１〜維持電極ＳＵｎにし、消去ランプ電圧Ｌ３を走査電極ＳＣ１〜走査電極ＳＣｎに印加する構成にする方が望ましい。
【０１１５】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１１６】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造のパネルにおいても有効である。
【０１１７】
なお、本実施の形態において示した具体的な各数値、例えば電圧Ｖｅｒｓや電圧Ｖｓｅｔの電圧値、あるいは上りランプ電圧Ｌ１、消去ランプ電圧Ｌ３の勾配等は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１１８】
本発明は、大画面化、高精細化されたパネルにおいても、書込み放電を安定に発生させることができるので、プラズマディスプレイ装置およびパネルの駆動方法として有用である。
【図面の簡単な説明】
【０１１９】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】同プラズマディスプレイ装置の走査電極駆動回路の一構成例を示す回路図
【図６】本発明の一実施の形態における全セル初期化期間の走査電極駆動回路の動作の一例を説明するためのタイミングチャート
【図７】本発明の一実施の形態における初期化波形発生回路の他の構成例を示す回路図
【符号の説明】
【０１２０】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    制御信号発生回路
５０    維持パルス発生回路
５３    初期化波形発生回路
５４    走査パルス発生回路
５５，５６，５８    ミラー積分回路
５７    電源電圧切換え回路
６０，６１    定電流発生回路
ＰＣ３    フォトカプラ
Ｑ１１，Ｑ１４，Ｑ１５，Ｑ２１，Ｑ２２    スイッチング素子
Ｃ１０，Ｃ１２    コンデンサ
Ｄ１２    ダイオード
Ｄ８，Ｄ９，Ｄ１０，Ｄ１１    ツェナーダイオード
Ｒ８，Ｒ９，Ｒ１０，Ｒ１１，Ｒ１２，Ｒ１３，Ｒ１４，Ｒ１５，Ｒ１８，Ｒ２０    抵抗
Ｑ８，Ｑ９，Ｑ２０    トランジスタ
【図１】
2010019960.tif 000003
【図２】
2010019960.tif 000004
【図３】
2010019960.tif 000005
【図４】
2010019960.tif 000006
【図５】
2010019960.tif 000007
【図６】
2010019960.tif 000008
【図７】
2010019960.tif 000009